(57)【要約】【課題】  本発明は化粧板等で覆われた埋設された換気用ダクトの埋設位置を検出器を用いて、容易で、短時間に見つけ出すことができるとともに、内径寸法の異なる換気用ダクトにでも容易で正確に取付けることができる換気用ダクト検出具を得るにある。【解決手段】  壁面に埋設される換気用ダクト内に遊びを有するように収納することができる円板状のセンサー支持体と、このセンサー支持体に中心が一致するように取付けられた、コンデンサーが設けられたセンサーとしてのリング状の共振回路と、センサー支持体に中央部寄りの部位が径方向にスライド移動可能に取付けられた、換気用ダクトの内壁面のほぼ１２０度間隔部位で支持される中央部および両端部寄りの部位に支持部が形成された常時拡開方向に弾性力が付与された中心維持板と、この中心維持板の両端部寄りの部位に形成された、中心維持板の中央部および両端部寄りの部位の支持部がセンサー支持体の中心円周上にガイドするガイド部材とで換気用ダクト検出具を構成している。【選択図】  図１
2007298459.tif 000002
【特許請求の範囲】
【請求項１】
建物の壁面に埋設される換気用ダクト内に遊びを有するように収納することができる円板状のセンサー支持体と、このセンサー支持体に中心が一致するように取付けられた、コンデンサーが設けられたセンサーとしてのリング状の共振回路と、前記センサー支持体に中央部寄りの部位が径方向にスライド移動可能に取付けられた、前記換気用ダクトの内壁面のほぼ１２０度間隔部位で支持される中央部および両端部寄りの部位に支持部が形成された常時拡開方向に弾性力が付与された中心維持板と、この中心維持板の両端部寄りの部位に形成された、該中心維持板の中央部および両端部寄りの部位の支持部が前記センサー支持体の中心円周上にガイドするガイド部材とからなることを特徴とする換気用ダクト検出具。
【請求項２】
建物の壁面に埋設される換気用ダクト内に遊びを有するように収納することができる円筒形状の周壁を有する浅皿状のセンサー支持体と、このセンサー支持体の内壁面に取付けられた、コンデンサーが設けられたリング状の共振回路と、前記センサー支持体に中央部寄りの部位が径方向にスライド移動可能に取付けられた、前記換気用ダクトの内壁面のほぼ１２０度間隔部位で支持される中央部および両端部寄りの部位に支持部が形成されたスプリングで常時拡開方向に弾性力が付与された中心維持板と、この中心維持板の両端部寄りの部位に形成された、該中心維持板の中央部および両端部寄りの部位の支持部が前記センサー支持体の中心の円周上にガイドするガイド部材とからなることを特徴とする換気用ダクト検出具。
【発明の詳細な説明】
【技術分野】
【０００１】
本発明は建物の壁面に埋設され、化粧板等で覆われ、換気用ダクトの埋設位置を検出機で、容易で短時間に見つけ出すことができる換気用ダクト検出具に関する。
【背景技術】
【０００２】
従来、建物の壁面に埋設された化粧板等で覆われた換気用ダクトの埋設位置を見つけ出すには、設計図を基に建物の寸法を計測して行なっている。
【０００３】
このため、埋設された換気用ダクトを見つけ出すのに手数がかかり、コスト高になるという欠点があるとともに、設計図通りに換気用ダクトが埋設されていないと、不必要な孔を化粧板等に形成してしまい、化粧板等の張り替え作業を行なわなければならないという欠点があった。
【特許文献１】特許第３１３６２８３号
【発明の開示】
【発明が解決しようとする課題】
【０００４】
本発明は以上のような従来の欠点に鑑み、化粧板等で覆われた埋設された換気用ダクトの埋設位置を検出機を用いて、容易で、短時間に見つけ出すことができるとともに、内径寸法の異なる換気用ダクトにでも容易で正確に取付けることができる換気用ダクト検出具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は建物の壁面に埋設される換気用ダクト内に遊びを有するように収納することができる円板状のセンサー支持体と、このセンサー支持体に中心が一致するように取付けられた、コンデンサーが設けられたセンサーとしてのリング状の共振回路と、前記センサー支持体に中央部寄りの部位が径方向にスライド移動可能に取付けられた、前記換気用ダクトの内壁面のほぼ１２０度間隔部位で支持される中央部および両端部寄りの部位に支持部が形成された常時拡開方向に弾性力が付与された中心維持板と、この中心維持板の両端部寄りの部位に形成された、該中心維持板の中央部および両端部寄りの部位の支持部が前記センサー支持体の中心円周上にガイドするガイド部材とで換気用ダクト検出具を構成している。
【発明の効果】
【０００７】
以上の説明から明らかなように、本発明にあっては次に列挙する効果が得られる。
【０００８】
（１）建物の壁面に埋設される換気用ダクト内に遊びを有するように収納することができる円板状のセンサー支持体と、このセンサー支持体に中心が一致するように取付けられた、コンデンサーが設けられたセンサーとしてのリング状の共振回路と、前記センサー支持体に中央部寄りの部位が径方向にスライド移動可能に取付けられた、前記換気用ダクトの内壁面のほぼ１２０度間隔部位で支持される中央部および両端部寄りの部位に支持部が形成された常時拡開方向に弾性力が付与された中心維持板と、この中心維持板の両端部寄りの部位に形成された、該中心維持板の中央部および両端部寄りの部位の支持部が前記センサー支持体の中心円周上にガイドするガイド部材とで構成されているので、換気用ダクト内に設置しておくことにより、化粧板等で覆われ、その埋設位置が判別できなくなっても、検出機でセンサー支持体に取付けられたリング状の共振回路を検出することにより、短時間で容易に埋設換気用ダクトの埋設位置を見つけ出し、化粧板等に不必要な孔を形成することなく、開口させることができる。
【０００９】
（２）前記（１）によって、常時拡開方向に弾性力が付与された中心維持板を用いているので、内径寸法の異なる換気用ダクトにも、確実に取付けることができる。
したがって、1個で換気用ダクトの内径寸法のものにも使用でき、コストの低減および作業性の向上を図ることができる。
【００１０】
（３）前記（１）によって、中心維持板をセンサー支持体に中央部寄りの部位が径方向にスライド移動可能で、かつガイド部材でガイドされるため、センサー支持体の中心部を換気用ダクトの中心部とほぼ一致する状態で位置させることができる。
したがって、センサーとしてのリング状の共振回路に中心部を常時確実に換気用ダクトの中止部に位置させて設置することができ、検出機での検出をより正確に行なうことができる。
【００１１】
（４）請求項2も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図１０  に示す本発明を実施するための最良の第１の形態において、１は建物２の壁面３に埋設され、下地材や化粧板４等で覆われる換気用ダクト５に取付けられる本発明の換気用ダクト検出具で、この換気用ダクト検出具１は前記換気用ダクト５内に遊びを有するように収納することができる円筒状の周壁６を有する浅皿状のセンサー支持体７と、このセンサー支持体７の内壁面６ａに取付けられたリング状の導体８にコンデンサー９が取付けられたリング状の共振回路１０と、前記センサー支持体７に中央部寄りの部位が径方向にスライド移動可能に取付けられた、前記換気用ダクト５の内壁面５ａのほぼ１２０度間隔部位で支持される中央部および両端部寄りの部位に支持部１１、１１、１１が形成されたスプリング１２で常時拡開方向に弾性力が付与された中心維持板１３と、この中心維持板１３の両端部寄りの部位に形成された、該中心維持板１３の中央部および両端部寄りの部位の支持部１１、１１、１１が前記センサー支持体７の中心の円周上にガイドするガイド部材１４、１４とで構成されている。
【００１４】
前記センサー支持体７は円板状の底板１５と、この底板１５の外周部に一体形成された円筒状の周壁６と、前記底板１５の内側面のほぼ中央部より突出形成された摘み片１６と、前記底板１５の内側面に一体形成されたコ字状の支持片１７と、この支持片１７の中央支持片１７ａと前記周壁６に形成された径方向のガイド孔１８、１８、１８、１８と、前記支持片１７の両側支持片１７ｂ、１７ｂの先端部寄りの部位に形成されたガイド溝１９、１９と、前記周壁６の内壁面に形成された前記共振回路１０のリング状の導体８を支持する複数個の支持部２０とで構成されている。
【００１５】
前記中心維持板１３は前記センサー支持体７の外径の円弧よりも大径寸法の円弧に形成された外側中央部に突状の支持部１１を有する中心維持板本体２１と、この中心維持板本体２１の中央寄りの下部部位に内方へ突出し、前記ガイド孔１８、１８、１８、１８にスライド移動可能に支持される支持バー２２、２２と、前記中心維持板本体２１の両端部に一体形成された、指先を挿入することができる凹部２３、２３を形成した接続板２４、２４と、この接続板２４、２４の先端部に一体形成された外側面に複数個の突条２５、２５を有する支持部１１、１１と、前記接続板２４、２４の内壁面に両端部が取付けられた常時該接続板２４、２４が開放方向に付勢するスプリング１２と、前記接続板２４、２４の先端部側の下部部位より円弧状に内側へ突出し、前記センサー支持体７のガイド溝１９、１９にガイドされるとともに、最大の開放位置で停止されるストッパー片２６が形成されたガイド部材１４、１４とで構成されている。
【００１６】
上記構成の換気用ダクト検出具１は建物２の壁面３を形成する時や、壁面３を下地材や化粧板４等で覆う前の換気用ダクト５内に、中心維持板１３の接続板２４、２４部位を押し圧して挿入し、開口端部寄りの部位で接続板２４、２４の押し圧を解除することにより、中心維持板１３の支持部１１、１１、１１が換気用ダクト５の内壁面を、スプリング１２の付勢力によって押し圧して係止状態となる。
この係止状態で中心維持板１３によって、換気用ダクト５の中心にセンサー支持体７の中心が位置した状態となる。
【００１７】
このように換気用ダクト５内に換気用ダクト検出具１を係止しておくことにより、下地材や化粧板４等で覆われ、外部より換気用ダクト５の位置がわからなくなっても、共振回路１０を検出することができる本願発明者が開発した特許第３１３６２８３号の検出機２７でその位置を検出して、該部位の下地材や化粧板４等に換気用ダクト５と連通する孔２８を本願発明者が開発した特許第３７３２１０６号の穴明け治具２９を用いて形成することができる。
また、中心維持板１３を縮径させることにより、径の異なる換気用ダクト５にも該換気用ダクト５の中心とセンサー支持体７の中心とを一致させた状態で取付けることができる。
[発明を実施するための異なる形態]
【００１８】
次に、図１１ないし図１６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図１１ないし図１３に示す本発明を実施するための第２の形態において、前記本発明を実施するための最良の第１の形態と主に異なる点は、開口部３０側が常時開放方向に弾性力が作用する弾性材を用いて形成した中心維持板１３Ａを用いた点で、このように形成した中心維持板１３Ａを用いて構成した換気用ダクト検出具１Ａにしても、前記本発明を実施するための最良の第１の形態と同様な作用効果が得られる。
【００２０】
図１４ないし図１６に示す本発明を実施するための第３の形態において、前記本発明を実施するための最良の第１の形態と主に異なる点は、底板を用いない厚肉の周壁６Ａを用いるとともに、該周壁６Ａの内壁面にガイド孔１８、１８およびガイド部材１４、１４の支持部３１、３１を形成したセンサー支持体７Ａを用いた点で、このように形成されたセンサー支持体７Ａを用いて構成した換気用ダクト検出具１Ｂにしても、前記本発明を実施するための最良の第１の形態と同様な作用効果が得られる。
【産業上の利用可能性】
【００２１】
本発明は換気用ダクト検出具を製造する産業で利用される。
【図面の簡単な説明】
【００２２】
【図１】本発明を実施するための最良の第１の形態の正面図。
【図２】本発明を実施するための最良の第１の形態の背面図。
【図３】本発明を実施するための最良の第１の形態の側面図。
【図４】図１の４−４線に沿う断面図。
【図５】本発明を実施するための最良の第１の形態の斜視図。
【図６】本発明を実施するための最良の第１の形態の中心維持板を縮径した状態の説明図。
【図７】本発明を実施するための最良の第１の形態の換気用ダクトに取付けた状態の正面図。
【図８】図７の８−８線に沿う断面図。
【図９】本発明を実施するための最良の第１の形態の検出器での検出状態の説明図。
【図１０】本発明を実施するための最良の第１の形態の穴明け治具での穴明け状態の説明図。
【図１１】本発明を実施するための第２の形態の正面図。
【図１２】本発明を実施するための第２の形態の側面図。
【図１３】図１１の１３−１３線に沿う断面図。
【図１４】本発明を実施するための第３の形態の正面図。
【図１５】本発明を実施するための第３の形態の側面図。
【図１６】図１４の１６−１６線に沿う断面図。
【符号の説明】
【００２３】
１、１Ａ、１Ｂ：換気用ダクト検出具、
２：建物、                                        ３：壁面、
４：下地材や化粧板、                    ５：換気用ダクト、            
６、６Ａ：周壁、                            ７、７Ａ：センサー支持体、
８：リング状の導体、                    ９：コンデンサー、
１０：共振回路、                            １１：支持部、
１２：スプリング、                                    １３、１３Ａ：中心維持板、
１４：ガイド部材、                                    １５：底板、
１６：摘み片、                                １７：支持片、
１８：ガイド孔、                            １９：ガイド溝、
２０：支持部、                                ２１：中心維持板本体、
２２：支持バー、                            ２３：凹部、
２４：接続板、                                ２５：突条、
２６：ストッパー片、                    ２７：検出機、
２８：孔、                                        ２９：穴明け治具、
３０：開口部、                                ３１：支持部。
【図１】
2007298459.tif 000003
【図２】
2007298459.tif 000004
【図３】
2007298459.tif 000005
【図４】
2007298459.tif 000006
【図５】
2007298459.tif 000007
【図６】
2007298459.tif 000008
【図７】
2007298459.tif 000009
【図８】
2007298459.tif 000010
【図９】
2007298459.tif 000011
【図１０】
2007298459.tif 000012
【図１１】
2007298459.tif 000013
【図１２】
2007298459.tif 000014
【図１３】
2007298459.tif 000015
【図１４】
2007298459.tif 000016
【図１５】
2007298459.tif 000017
【図１６】
2007298459.tif 000018